(57)【要約】【課題】ビープ音の出力タイミングを遅延させることなく、省電力化を図ること。【解決手段】入力されたデータに応じた音声を出力するオーディオデコーダ２１２を備える情報処理装置１００において、オーディオデコーダ２１２に電源３０２からの電力を供給する供給部３０３と、オーディオデコーダ２１２が音声の出力中であるか否かを判断する判断部３０５と、操作されたキーに応じてビープ音を出力する操作音出力モードの設定指示を受け付ける受付部３０４と、を設けて、受付部３０４によって操作音出力モードの設定指示を受け付けた場合には、オーディオデコーダに対してビープ音の出力に要する電力のみが供給されるように供給部３０３が供給する電力量を調整部３０６によって調整するようにした。【選択図】図３
2008084092.tif 000002
【特許請求の範囲】
【請求項１】
入力されたデータに応じた音声を出力するオーディオデコーダに電源からの電力を供給する供給手段と、
前記オーディオデコーダが音声の出力中であるか否かを判断する判断手段と、
前記判断手段によって音声の出力中ではないと判断された場合、前記オーディオデコーダに対して、ビープ音の出力に要する電力であって前記音声を出力する際の電力よりも小さい電力が供給されるように前記供給手段が供給する電力量を調整する調整手段と、
操作されたキーに応じてビープ音を出力する操作音出力モードの設定指示を受け付ける受付手段と、
を備え、
前記調整手段は、前記受付手段によって前記操作音出力モードの設定指示を受け付けた場合に、前記オーディオデコーダに対してビープ音の出力に要する電力のみが供給されるように前記供給手段が供給する電力量を調整することを特徴とすることを特徴とする電子機器。
【請求項２】
前記受付手段は、前記オーディオデコーダによる音声の出力を停止する無音モードの設定指示を受け付けることが可能であり、
前記調整手段は、前記受付手段によって前記無音モードの設定指示を受け付けた場合に、前記オーディオデコーダに対する電力の供給を停止することを特徴とする請求項１に記載の電子機器。
【請求項３】
前記オーディオデコーダに対して音声データを入力する入力手段を備え、
前記調整手段は、前記入力手段によって音声データが入力された場合に、前記オーディオデコーダに対して前記音声データに基づく音声の出力に要する電力の供給が開始されるように前記供給手段が供給する電力量を調整することを特徴とする請求項１または２に記載の電子機器。
【発明の詳細な説明】
【技術分野】
【０００１】
この発明は、電子機器に関する。
【背景技術】
【０００２】
従来、音声データを再生し、音声を出力するオーディオデコーダを備える電子機器がある。たとえば、オーディオデコーダを搭載した可搬性の電子機器には、音声データを再生しない場合にはオーディオデコーダへの電源の供給を停止することで、省電力化を図るようにしたものがある。また、従来、オーディオデコーダを搭載した電子機器には、たとえば、エラーが発生した場合などに、「ピー」などの音声（以下、「ビープ音」という。）を出力するものがある。
【０００３】
また、たとえばエンコーダおよびデコーダの動作有無に応じて、消費電力の異なる複数の動作モードを切り換え制御する情報処理装置が存在する。すなわち、ＣＰＵの能力を最大限に発揮させる必要のあるエンコーダやデコーダの動作を伴うＡＶアプリケーションプログラムが稼働している場合、通常モードに移行し、ＡＶアプリケーションプログラムが非稼働の場合は、それ以外のアプリケーションプログラムが稼働している場合であっても、省電力モードに移行するといった省電力制御を実行するものがある（たとえば、下記特許文献１参照。）。
【０００４】
【特許文献１】特開２００４−１６４２０３号公報
【発明の開示】
【発明が解決しようとする課題】
【０００５】
しかしながら、上述した従来の技術では、音声データを再生しない場合にオーディオデコーダへの電源の供給を停止すると、省電力化を図ることはできるが、オーディオデコーダへ電源を供給し続けた場合と比較して、ビープ音の出力タイミングに遅延を生じるという問題があった。具体的には、たとえば、利用者が何らかの誤操作をした場合に、誤操作をしたタイミングからビープ音が出力されるまでに時間差が生じ、利用者に違和感を与えてしまうという問題があった。
【０００６】
この対策として、省電力化を図りつつ上述した問題を回避するために、オーディオデコーダとは別にビープ音のみを出力する専用のデコーダを設けることが考えられるが、この場合、専用のデコーダを設けるために部品点数や製造工程数が増加し、電子機器の製造コストが増加するという問題があった。
【課題を解決するための手段】
【０００７】
この発明にかかる電子機器は、入力されたデータに応じた音声を出力するオーディオデコーダに電源からの電力を供給する供給手段と、前記オーディオデコーダが音声の出力中であるか否かを判断する判断手段と、前記判断手段によって音声の出力中ではないと判断された場合、前記オーディオデコーダに対して、ビープ音の出力に要する電力であって前記音声を出力する際の電力よりも小さい電力が供給されるように前記供給手段が供給する電力量を調整する調整手段と、操作されたキーに応じてビープ音を出力する操作音出力モードの設定指示を受け付ける受付手段と、を備え、前記調整手段は、前記受付手段によって前記操作音出力モードの設定指示を受け付けた場合に、前記オーディオデコーダに対してビープ音の出力に要する電力のみが供給されるように前記供給手段が供給する電力量を調整することを特徴とすることを特徴とする。
【０００８】
この発明によれば、音声の非出力時にはオーディオデコーダに対してビープ音の出力に要する電力を供給することで、オーディオデコーダに対して音声の出力に要する電力を常時供給する場合と比較して電子機器の消費電力を低減しつつ、操作されたキーに応じたビープ音を当該キー操作に応じて迅速に出力することができる。
【０００９】
これによって、電子機器は、ビープ音の出力タイミングを遅延させることなく、省電力化を図ることができる。そして、これによって電子機器の利用者は、当該電子機器の状態に拘わらず、違和感を覚えることなく電子機器を利用することができる。
【００１０】
また、この発明にかかる電子機器は、操作されたキーに応じてビープ音を出力する操作音出力モードの設定指示を受け付ける受付手段を備え、前記調整手段は、前記受付手段によって前記操作音出力モードの設定指示を受け付けた場合に、前記オーディオデコーダに対してビープ音の出力に要する電力が供給されるように前記供給手段が供給する電力量を調整することを特徴とする。
【００１１】
この発明によれば、操作音出力モードが設定されている場合に限って、音声の非出力時においてオーディオデコーダに対して供給される電力量が調整されるので、任意のタイミングで電子機器の消費電力を低減することができる。
【００１２】
これによって電子機器は、設定されているモードに応じて、ビープ音の出力タイミングを遅延させることなく、省電力化を図ることができる。そして、これによって電子機器の利用者は、当該電子機器の状態に拘わらず、違和感を覚えることなく電子機器を利用することができる。
【００１３】
また、この発明にかかる電子機器における前記受付手段は、前記オーディオデコーダによる音声の出力を停止する無音モードの設定指示を受け付けることが可能であり、前記調整手段は、前記受付手段によって前記無音モードの設定指示を受け付けた場合に、前記オーディオデコーダに対する電力の供給を停止することを特徴とする。
【００１４】
この発明によれば、無音モードが設定されている場合には、オーディオデコーダにおける電力の消費を抑制することができる。これによって電子機器は、オーディオデコーダにおける消費電力量を効果的に抑制することができる。そして、これによって電子機器の利用者は、たとえば、当該電子機器を携帯する場合にも、長時間利用することができる。
【００１５】
また、この発明にかかる電子機器は、前記オーディオデコーダに対して音声データを入力する入力手段を備え、前記調整手段は、前記入力手段によって音声データが入力された場合に、前記オーディオデコーダに対して前記音声データに基づく音声の出力に要する電力の供給が開始されるように前記供給手段が供給する電力量を調整することを特徴とする。
【００１６】
この発明によれば、設定されている動作モードに拘わらず、必要に応じて音声を出力することができ、また、オーディオデコーダに対して音声の出力に要する電力を常時供給する場合と比較して電子機器の消費電力を低減しつつ、操作されたキーに応じたビープ音を当該キー操作に応じて迅速に出力することができる。
【００１７】
これによって、電子機器は、ビープ音の出力タイミングを遅延させることなく、また、音声データに基づく音声の出力に支障を来すことなく、省電力化を図ることができる。そして、これによって電子機器の利用者は、当該電子機器の状態に拘わらず、違和感や不快感を覚えることなく電子機器を利用することができる。
【発明を実施するための最良の形態】
【００１８】
以下に添付図面を参照して、この発明にかかる電子機器の好適な実施の形態を詳細に説明する。この実施の形態では、この発明にかかる電子機器を情報処理装置に適用した例である。
【００１９】
（情報処理装置の外観）
図１−１および図１−２は、この発明の実施の形態にかかる情報処理装置の外観を示す説明図である。図１−１は情報処理装置の上面図を示しており、図１−２は情報処理装置の正面図を示している。図１−１に示したように、情報処理装置１００は、ＳＤ（登録商標）メモリーカードスロット１０１、ＣＦカードスロット１０２、およびＣＦカードイジェクトボタン１０３を備えている。ＳＤメモリーカードスロット１０１には、ＳＤメモリーカード・ＭＭＣ（マルチメディアカード）などが挿入される。
【００２０】
ＣＦカードスロット１０２には、ＣＦカード・マイクロドライブが挿入される。ＣＦカードイジェクトボタン１０３は、ＣＦカードスロット１０２に挿入されたＣＦカードを取り出すときに押下される。ＣＦカードイジェクトボタン１０３が押下された場合には、ＣＦカードスロット１０２に挿入されたＣＦカードが、情報処理装置１００の外部へ排出される。図１−１中図示を省略するが、情報処理装置１００は、ＵＳＢコネクタを備えている。ＵＳＢコネクタには、たとえば、ＵＳＢケーブルを介してプリンタが接続される。
【００２１】
図１−２に示したように、情報処理装置１００は、高精細液晶ディスプレイ１０４、および各種操作キー１０５〜１１１を備えている。高精細液晶ディスプレイ１０４は、操作画面や画像データを表示する。各種操作キー１０５〜１１１のうち、図１−２中符号１０５は、「Ｐｒｉｎｔ」ボタンを示している。「Ｐｒｉｎｔ」ボタン１０５が印刷可能な画面で押下された場合、高精細液晶ディスプレイ１０４には印刷設定画面が表示される。
【００２２】
各種操作キー１０５〜１１１のうち、図１−２中符号１０６は、「Ｍｅｎｕ」ボタンを示している。「Ｍｅｎｕ」ボタン１０６が押下された場合、高精細液晶ディスプレイ１０４には、「Ｍｅｎｕ」ボタン１０６が押下された時点で実行可能な操作項目が、ポップアップメニューなどで表示される。各種操作キー１０５〜１１１のうち、図１−２中符号１０７は、「↑↓←→」キー（４−Ｗａｙリング）を示している。４−Ｗａｙリング１０７の押下によって任意の項目を選択させることができる。
【００２３】
各種操作キー１０５〜１１１のうち、図１−２中符号１０８は「ＯＫ」ボタンを示している。４−Ｗａｙリング１０７の押下によって選択された項目は、「ＯＫ」ボタン１０８の押下によって確定される。図示を省略するが、たとえば、「Ｐｒｉｎｔ」ボタンが選択された状態で「ＯＫ」ボタン１０８が押下された場合、プリント出力処理に関する処理が開始される。各種操作キー１０５〜１１１のうち、図１−２中符号１０９は「Ｃａｎｃｅｌ」ボタンを示している。「Ｃａｎｃｅｌ」ボタン１０９が押下された場合、「Ｃａｎｃｅｌ」ボタン１０９が押下された時点で実行中の操作が中止され、一つ前の画面が表示される。
【００２４】
各種操作キー１０５〜１１１のうち、図１−２中符号１１０は「Ｄｉｓｐｌａｙ」ボタンを示している。「Ｄｉｓｐｌａｙ」ボタン１１０が押下された場合、高精細液晶ディスプレイ１０４には、操作説明や画面の情報が表示される。各種操作キー１０５〜１１１のうち、図１−２中符号１１１は「Ｈｏｍｅ」ボタンを示している。「Ｈｏｍｅ」ボタン１１１が押下された場合、「Ｈｏｍｅ」ボタン１１１が押下された時点で実行中の操作が中止され、「ホーム画面（初期メニュー画面）」が表示される。
【００２５】
（情報処理装置のハードウエア構成）
図２は、この発明の実施の形態にかかる情報処理装置のハードウエア構成を示す説明図である。図２において、情報処理装置１００は、ＣＰＵ２０１と、メモリ２０２と、メモリコントローラ２０３と、ＨＤＤ（ハードディスクドライブ）２０４と、ＡＴＡ  Ｉ／Ｆ（インターフェース）２０５と、入力デバイス２０６と、汎用入出力制御ユニット２０７と、ビデオＩ／Ｆ（インターフェース）２０８と、ビデオデコーダ２０９と、ＬＥＤ（Ｌｉｇｈｔ  Ｅｍｉｔｔｉｍｇ  Ｄｉｏｄｅ）２１０と、上述した高精細液晶ディスプレイ１０４と、オーディオＩ／Ｆ（インターフェース）２１１と、オーディオデコーダ２１２と、スピーカ２１３と、ヘッドフォン２１４と、電源制御ユニット２１５と、バッテリ２１６と、を備えている。情報処理装置１００が備える各部２０１〜２１６は、それぞれバス２１７によって接続される。
【００２６】
ＣＰＵ２０１は、メモリ２０２、ＨＤＤ２０４などに記憶されたプログラムを実行することによって、情報処理装置１００全体を制御する。メモリ２０２は、情報処理装置１００の基本処理プログラムなどを記憶している。メモリ２０２としては、たとえばＲＯＭ（Ｒｅａｄ  Ｏｎｌｙ  Ｍｅｍｏｒｙ）やＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が用いられる。また、メモリコントローラ２０３は、ＣＰＵ２０１の制御にしたがって、メモリ２０２に対するデータの読み取り／書き込みを制御する。
【００２７】
ＨＤＤ２０４は、画像データや、制御プログラムなどの各種情報を記憶する。ＨＤＤ２０４の代わりにあるいはＨＤＤ２０４に加えて、ＤＶＤ、コンパクトディスク（ＣＤ）などの着脱可能な記憶媒体による記憶装置であってもよい。また、ＨＤＤ２０４はＡＴＡ  Ｉ／Ｆ２０５によって、ＣＰＵ２０１と接続されており、このＡＴＡ  Ｉ／Ｆ２０５により、ＨＤＤ２０４に格納されているデータの読み出しおよび書き込みをおこなう。
【００２８】
入力デバイス２０６は、文字、数値、各種指示などの入力のための、たとえば図１−２に示すような各種ボタンによって構成されている。また、汎用入出力制御ユニット２０７は、入力デバイス２０６からの入出力を制御する。
【００２９】
ビデオＩ／Ｆ２０８は、ビデオデコーダ２０９を介して、上述した高精細液晶ディスプレイ１０４と接続される。このビデオＩ／Ｆ２０８は、たとえば、高精細液晶ディスプレイ１０４の全体の制御をおこなうグラフィックコントローラと、即時表示可能な画像情報を一時的に記録するＶＲＡＭ（Ｖｉｄｅｏ  ＲＡＭ）などのバッファメモリと、高精細液晶ディスプレイ１０４を表示制御する制御ＩＣなどによって構成される。
【００３０】
具体的には、ビデオＩ／Ｆ２０８は、グラフィックコントローラから出力された画像データをビデオデコーダ２０９によって復号化し、その復号化した画像データに基づいて、高精細液晶ディスプレイ１０４を表示制御する。ＬＥＤ２１０は、点灯または点滅することによって、利用者に情報処理装置１００の状態あるいは利用者へ所定の情報（たとえば警告情報など）を告知する。
【００３１】
オーディオＩ／Ｆ２１１は、オーディオデコーダ２１２を介してスピーカ２１３およびヘッドフォン２１４に接続される。具体的には、オーディオＩ／Ｆ２１１から出力された音声データをオーディオデコーダ２１２によって復号化し、スピーカ２１３およびヘッドフォン２１４から音声出力する。
【００３２】
電源制御ユニット２１５は、利用者によって情報処理装置１００の電源がＯＮにされた際に、バッテリ２１６からの電力を各構成部に供給する。また、利用者によって情報処理装置１００の電源がＯＦＦにされた際には、各構成部に対する電力の供給を終了する。加えて、図示を省略するが、情報処理装置１００は、ＵＳＢコネクタに接続されたプリンタとの間で通信をおこなう通信Ｉ／Ｆを備えている。
【００３３】
（情報処理装置の機能的構成）
図３は、この発明の実施の形態にかかる情報処理装置１００の機能的構成を示すブロック図である。図３に示したように、情報処理装置１００は、入力部３０１と、オーディオデコーダ２１２と、電源３０２と、供給部３０３と、受付部３０４と、判断部３０５と、調整部３０６と、を備えている。
【００３４】
入力部３０１は、オーディオデコーダ２１２に対して音声データを入力する。オーディオデコーダ２１２は、入力された音声データに応じた音声を出力する。具体的に、オーディオデコーダ２１２は、一定の規則に基づいて符号化された音声データを復号し、当該音声データに基づく音声を出力する。
【００３５】
また、入力部３０１は、オーディオデコーダ２１２に対して、ビープ音を出力するためのビープコードデータを入力する。オーディオデコーダ２１２は、ビープコードデータが入力された場合には、当該ビープコードデータに基づくビープ音を出力する。
【００３６】
オーディオデコーダ２１２は、ソフトウエアの形態であってもよいし、ＬＳＩチップに実装されたハードウエアの形態であってもよい。オーディオデコーダ２１２は、ＬＳＩチップに実装されたハードウエアの形態とすることで、ソフトウエアでデコードする場合に比べシステムへの負荷を抑えることができる。この場合、オーディオデコーダ２１２は、特定の形式のコンテンツのみを再生する。
【００３７】
オーディオデコーダ２１２は、電源３０２から供給された電力を用いて音声を出力する。電源３０２は、たとえば、二次電池などであり、電気エネルギーを化学エネルギーに変換して蓄え、必要に応じて電気エネルギーに還元することによって生成される電力を発生させる。オーディオデコーダ２１２は、電源コンセントを電源３０２とし、電源コンセントから供給された電力を用いて音声を出力してもよい。供給部３０３は、オーディオデコーダ２１２に電源３０２からの電力を供給する。
【００３８】
オーディオデコーダ２１２に対しては、入力部３０１によって入力された音声データに応じて楽曲などの音声を出力する通常モードと、操作されたキーに応じてビープ音を出力する操作音出力モードと、音声の出力を停止しキー操作音を無効とする無音モード（以下、「キー操作音無効設定」という）と、のいずれかの動作モードを設定することが可能である。受付部３０４は、利用者による動作モードの設定指示を受け付ける。判断部３０５は、通常モードあるいは操作音出力モードが設定されている場合に、オーディオデコーダ２１２が音声の出力中であるか否かを判断する。
【００３９】
調整部３０６は、判断部３０５によって音声の出力中ではないと判断された場合、オーディオデコーダ２１２に対してビープ音の出力に要する電力が供給されるように供給部３０３が供給する電力量を調整する。ビープ音の出力に要する電力量は、音声を出力する際の電力よりも小さい電力量である。調整部３０６は、受付部３０４によって操作音出力モードの設定指示を受け付けた場合に、オーディオデコーダ２１２に対してビープ音の出力に要する電力が供給されるように供給部３０３が供給する電力量を調整してもよい。
【００４０】
また、調整部３０６は、受付部３０４によって無音モードの設定指示を受け付けた場合に、オーディオデコーダ２１２に対する電力の供給を停止する。調整部３０６は、入力部３０１によって音声データが入力された場合には、オーディオデコーダ２１２に対して音声データに基づく音声の出力に要する電力が供給されるように供給部３０３が供給する電力量を調整する。この場合、音声データが入力された時点で設定されている動作モードに拘わらず音声を出力するようにしてもよいし、操作音出力モードあるいは無音モードが設定されている場合には音声データに応じた音声を出力しないようにしてもよい。
【００４１】
（情報処理装置の処理手順）
図４は、情報処理装置１００の処理手順（動作モード設定）を示すフローチャートである。つぎに、図４を用いて、この発明の実施の形態にかかる情報処理装置１００の処理手順（動作モード設定）について説明する。図４のフローチャートにおいて、まず、動作モードの設定が変更されたか否かを判断する（ステップＳ４０１）。変更されていない場合（ステップＳ４０１：Ｎｏ）には、一連の処理を終了する。
【００４２】
ステップＳ４０１において、動作モードの設定が変更された場合（ステップＳ４０１：Ｙｅｓ）には、変更後の動作モードが、キー操作音無効設定であるか否かを判断する（ステップＳ４０２）。キー操作音無効設定である場合（ステップＳ４０２：Ｙｅｓ）には、オーディオデコーダ２１２への電力供給を停止する（ステップＳ４０３）。
【００４３】
一方、ステップＳ４０２において、変更後の動作モードが、キー操作音無効設定ではない場合（ステップＳ４０２：Ｎｏ）には、オーディオデコーダ２１２への電力供給を開始し（ステップＳ４０４）、ビープ音の出力に必要な箇所のみをパワーアップして（ステップＳ４０５）、一連の処理を終了する。ステップＳ４０５においては、ビープ音の出力に際して駆動される各部に対して、ビープ音を出力するために必要な最低限の電力を供給する。
【００４４】
図５は、情報処理装置１００の処理手順（音楽再生）を示すフローチャートである。つぎに、図５を用いて、この発明の実施の形態にかかる情報処理装置１００の処理手順（音楽再生）について説明する。図５のフローチャートにおいて、まず、動作モードの設定がキー操作音無効設定であるか否かを判断する（ステップＳ５０１）。
【００４５】
ステップＳ５０１において、動作モードの設定がキー操作音無効設定である場合（ステップＳ５０１：Ｙｅｓ）、オーディオデコーダ２１２への電力供給を開始し（ステップＳ５０２）、音声再生に必要な箇所をパワーアップする（ステップＳ５０３）。ステップＳ５０３においては、音声再生に際して駆動される各部に対して、各々が駆動するために十分な電力を供給する。
【００４６】
一方、ステップＳ５０１において、動作モードの設定がキー操作音無効設定ではない場合（ステップＳ５０１：Ｎｏ）には、ステップＳ５０３へ移行する。つづいて、音声再生に必要な条件を設定し（ステップＳ５０４）、設定された条件にしたがって音声データを再生して（ステップＳ５０５）、一連の処理を終了する。
【００４７】
（表示画面の一例）
図６は、情報処理装置１００における表示画面の一例を示す説明図（その１）である。図６に示した表示画面６００は、高精細液晶ディスプレイ１０４に表示される初期画面である。表示画面６００には、情報処理装置１００が実行可能な機能をあらわす複数のアイコン６０１が表示されている。利用者は、４−Ｗａｙリング１０７および「ＯＫ」ボタン１０８の操作によって、任意のアイコン６０１を選択することができる。図６には、符号６０１ａであらわすアイコンが選択された状態をあらわしている。
【００４８】
また、表示画面６００には、アイコン６０１のほかに、電源の残り量を案内するゲージ６０２や、情報処理装置１００に現在装着されている記録媒体をあらわすマーク６０３，６０４などが表示されている。ゲージ６０２やマーク６０３，６０４は、４−Ｗａｙリング１０７や「ＯＫ」ボタン１０８を操作しても選択することはできない。
【００４９】
図７は、情報処理装置１００における表示画面の一例を示す説明図（その２）である。図７に示した表示画面７００は、図６中符号６０１ａであらわしたアイコンが選択された状態で「ＯＫ」ボタン１０８が操作された場合に表示される表示画面（図示を省略）に表示されるアイコンの中から、さらに、特定のアイコンを選択した状態で「ＯＫ」ボタン１０８が操作されることによって表示される。
【００５０】
図７に示したように、表示画面７００が表示された状態では、ビープ音を出力するか否かを設定することが可能である。表示画面７００には、ビープ音を出力するように設定されている（図７中、「Ｋｅｙ  Ｂｅｅｐ    ＯＮ」と記載）ことをあらわす情報７０１が表示されている。また、表示画面７００が表示された状態では、ビープ音のボリュームを調整することが可能である。具体的には、表示画面７００において「Ｖｏｌｕｍｅ」と表示されている情報７０２が、４−Ｗａｙリング１０７の操作によって選択された状態で「ＯＫ」ボタン１０８が操作された場合に、ビープ音のボリュームを調整することが可能となる。
【００５１】
上述したように、実施の形態の情報処理装置１００によれば、音声の非出力時には、オーディオデコーダ２１２に対して、ビープ音の出力に要する電力であって音声を出力する際の電力よりも小さい電力を供給することで、オーディオデコーダ２１２に対して音声の出力に要する電力を常時供給する場合と比較して情報処理装置１００の消費電力を低減しつつ、操作されたキーに応じたビープ音を当該キー操作に応じて迅速に出力することができる。
【００５２】
これによって、情報処理装置１００は、ビープ音の出力タイミングを遅延させることなく、省電力化を図ることができる。そして、これによって情報処理装置１００の利用者は、当該情報処理装置１００の状態に拘わらず、違和感を覚えることなく情報処理装置１００を利用することができる。
【００５３】
また、実施の形態の情報処理装置１００によれば、操作音出力モードが設定されている場合に限って、音声の非出力時においてオーディオデコーダ２１２に対して供給される電力量が調整されるので、任意のタイミングで情報処理装置１００の消費電力を低減することができる。
【００５４】
これによって情報処理装置１００は、設定されているモードに応じて、ビープ音の出力タイミングを遅延させることなく、省電力化を図ることができる。そして、これによって情報処理装置１００の利用者は、情報処理装置１００の状態に拘わらず、違和感を覚えることなく電子機器を利用することができる。
【００５５】
また、実施の形態の情報処理装置１００によれば、操作音出力モードが設定されていない場合には、オーディオデコーダ２１２における電力の消費を抑制することができる。これによって情報処理装置１００は、オーディオデコーダ２１２における消費電力量を効果的に抑制することができる。そして、これによって情報処理装置１００の利用者は、たとえば、当該情報処理装置１００を携帯する場合にも、長時間利用することができる。
【００５６】
また、実施の形態の情報処理装置１００によれば、設定されている動作モードに拘わらず、必要に応じて音声データを出力することができ、また、オーディオデコーダ２１２に対して音声の出力に要する電力を常時供給する場合と比較して情報処理装置１００の消費電力を低減しつつ、操作されたキーに応じたビープ音を当該キー操作に応じて迅速に出力することができる。
【００５７】
これによって、情報処理装置１００は、ビープ音の出力タイミングを遅延させることなく、また、音声の出力に支障を来すことなく、省電力化を図ることができる。そして、これによって情報処理装置１００の利用者は、当該情報処理装置１００の状態に拘わらず、違和感や不快感を覚えることなく情報処理装置１００を利用することができる。
【００５８】
以上説明したように、情報処理装置１００によれば、ビープ音の出力タイミングを遅延させることなく、省電力化を図ることができる。そして、これによって情報処理装置１００の利用者は、当該情報処理装置１００の状態に拘わらず、違和感を覚えることなく情報処理装置１００を利用することができる。
【図面の簡単な説明】
【００５９】
【図１−１】この実施の形態にかかる情報処理装置の外観図（その１）。
【図１−２】この実施の形態にかかる情報処理装置の外観図（その２）。
【図２】この実施の形態にかかる情報処理装置のハードウエア構成図。
【図３】この実施の形態にかかる情報処理装置の機能的構成を示すブロック図。
【図４】情報処理装置の処理手順（動作モード設定）を示すフローチャート。
【図５】情報処理装置の処理手順（音楽再生）を示すフローチャート。
【図６】情報処理装置における表示画面の一例を示す説明図（その１）。
【図７】情報処理装置における表示画面の一例を示す説明図（その２）。
【符号の説明】
【００６０】
１００  情報処理装置、３０１  入力部、２１２  オーディオデコーダ、３０２  電源、３０３  供給部、３０４  受付部、３０５  判断部、３０６  調整部
【図１−１】
2008084092.tif 000003
【図１−２】
2008084092.tif 000004
【図２】
2008084092.tif 000005
【図３】
2008084092.tif 000006
【図４】
2008084092.tif 000007
【図５】
2008084092.tif 000008
【図６】
2008084092.tif 000009
【図７】
2008084092.tif 000010